(57)【要約】【課題】袋体の中に粒状物を充填した座布団、背当て、敷布団の上敷きなどの敷物及びその製造方法に関し、軽量で扱いやすく、樹脂ペレットの使用量が少なく、洗濯が簡単な上記敷物を提供する。【解決手段】４辺を縫合した表布１と裏布２で形成される袋体１４を縦横の縫合線３、４で多数の小室５に区画し、各小室に均したときの厚さが一定となる量の樹脂ペレット６を緩く充填した敷物を提供する。小室５は、正方形でも良いが、矩形が好ましい。敷物の柔軟性を確保し、取扱や洗濯を容易にし、使用したときに樹脂ペレット６が袋体内で大きく偏在するのを防止している。袋体の３辺を縫合し、かつ開放辺に直交する方向の細長い区画領域を形成し、開放辺を上方にして各区画領域への樹脂ペレット６の投入と、各小室５の上辺の縫合とを交互に行うことにより、この発明の敷物を製造できる。【選択図】      図１
2006230594.tif 000002
【特許請求の範囲】
【請求項１】
表布(1)と裏布(2)とを所定間隔を隔てた縦横の縫合線(3,4)で区画した多数の小室(5)を備え、各小室に均したときの厚さが一定となる量の樹脂ペレット(6)を緩く充填してなる、敷物。
【請求項２】
前記樹脂ペレットが短管状樹脂ペレットである、請求項１記載の敷物。
【請求項３】
前記小室の区画領域が１０〜２０ｃｍ×５〜１２ｃｍの矩形領域である、請求項１又は２記載の敷物。
【請求項４】
表布(1)と裏布(2)とをその両側辺、下辺及び前記側辺に平行な所定間隔を隔てた縫合線(3)で縫着して多数の区画領域(9)を形成し、縫着しない上辺(8)を上方とした状態で各区画領域に所定量の樹脂ペレット(6)を投入し、各区画領域の下辺から所定高さの位置で前記表布と裏布とを下辺と平行な縫合線(4)で縫着して当該縫合線の位置を各区画領域(9)の新たな下辺とし、上記樹脂ペレットの投入と下辺と平行な縫合線での縫着とを繰返し、最後に前記上辺を縫着する、請求項１、２又は３記載の敷物の製造方法。
【発明の詳細な説明】
【技術分野】
【０００１】
この発明は、椅子の座面や畳に敷く座布団、背当て、敷布団の上敷きなどとして用いる敷物に関するもので、袋体の中に粒状物を充填した上記敷物及びその製造方法に関するものである。
【背景技術】
【０００２】
粒状の樹脂ペレットを袋体に充填したクッションや枕は公知である。樹脂ペレットとしては、ポリエチレンやポリスチレンなどの樹脂を細い管状に押出して切断した短管状のものが多く用いられており、その大きさは、ストローを５〜１０ｍｍの長さに切断した程度の大きさである。この短管状のペレットは、軸方向には変形しないが、径方向には変形し、管の太さや肉厚により、変形のしやすさ、すなわちクッションや枕として使用したときの皮膚への当りないし刺激の異なる複数種のものが提供されている。
【０００３】
この短管状ペレットのような比較的硬質の粒状体を充填したクッションや枕は、使用したときに皮膚を刺激して、指圧作用やマッサージ作用が得られる。更にこのような樹脂ペレットに磁性体の粉末や粒子を混合して磁気作用が得られるようにしたものも提供されている。
【０００４】
従来の枕やクッションは、袋体内に樹脂ペレットを密に充填している。すなわち、クッションや枕に体表面が押圧されたとき、樹脂ペレットが袋体の厚み方向にも移動して、袋体の表面が使用者の体表面に倣った形状になるが、このとき袋体表面の最も凹んだ箇所で樹脂ペレットが周囲に押し動かされて表布と裏布と接触する状態になると、枕やクッションとして機能しなくなるので、そのようなことが起こらない程度に密に充填している。換言すれば、従来のクッションや枕における樹脂ペレットの充填の程度は、樹脂ペレットを強制的に袋体の一方の側に寄せても、反対側に樹脂ペレットが存在しない領域が生じない程度の充填である。
【０００５】
また、充填する粒状体として発泡ピーズを用いたマット等において、袋体内での粒状体の移動を抑制するために、袋体を複数の区画室に区画したものも知られているが、従来のこの種の区画は、一方向のみの区画であり、かつ各区画室に発泡ビーズなどが密に充填されている。
【特許文献１】特開平１０−３１３９７９号公報
【特許文献２】特開２００３−１５９２９０号公報
【特許文献３】特開２００４−２８３５１１号公報
【発明の開示】
【発明が解決しようとする課題】
【０００６】
樹脂ペレットを充填した枕などが有する指圧作用やマッサージ作用を背中や体全体などの大きな体表面に作用させようとすると、クッションなどの寸法を大きくしなければならない。例えば、敷布団などに用いるためには、１ｍ×２ｍという程度の面積の袋体に、ある程度の厚さとなるまで樹脂ペレットを充填しなければならず、樹脂ペレットの量が非常に多くなってコスト高となると共に、重くて持ち運びに不便であり、また汚れたときに洗濯することもできないという問題が生ずる。
【０００７】
この発明は、樹脂ペレットを充填したクッションや枕の皮膚刺激作用を大きな体表面に作用させるための軽量で扱いやすく、樹脂ペレットの使用量も少なくでき、汚れたときに簡単に洗濯することが可能な、敷き布団の上敷きや座布団などの敷物を提供することを課題としている。
【課題を解決するための手段】
【０００８】
この発明は、４辺を縫合した表布１と裏布２で形成される袋体１４を縦横の縫合線３、４で多数の方形、好ましくは矩形の小室５に区画し、各小室に均したときの厚さが一定となる量の樹脂ペレット６を緩く充填することにより、上記課題を解決したものである。
【０００９】
すなわちこの発明の敷物では、袋体１４を縦横の縫合線３、４で多数の小室５に区画し、各区画内に樹脂ペレット６を緩く、すなわち、各小室５内の樹脂ペレット６を片側に寄せたときに、表布１と裏布２との間に樹脂ペレットが存在しない領域が生ずる程度に、各小室５の大きさに比して少ない量の樹脂ペレット６を封入している。
【００１０】
このことにより、敷物の厚さを薄くして、使用する樹脂ペレット６の量を少量にすると共に、敷物全体の柔軟性を確保して、取扱や洗濯を容易にし、かつ使用したときにも樹脂ペレット６が袋体内で大きく偏在して、体表面を支える部分から樹脂ペレット６が排除されてしまうのを防止している。
【００１１】
この作用を得るためには、小室５を小面積の室とすることが必要で、袋体全体を数個の区画室に区画した程度では、上記作用は達成されない。
【００１２】
小室５は、正方形でも良いが、矩形が好ましい。矩形の小室５は、製造時に縫いやすく、樹脂ペレット６が小室５内で偏在する方向が一方向になるので、偏りが少なく、また使用時に生じた表面の凹凸を均しやすい。
【００１３】
従って本願の請求項１の発明に係る敷物は、表布１と裏布２とを所定間隔を隔てた縦横の縫合線３、４で区画した多数の小室５を備え、各小室に均したときの厚さが一定となる量の樹脂ペレット６を緩く充填してなる、座布団、敷き布団の上敷き、背当てその他の敷物である。
【００１４】
本願の請求項２の発明に係る敷物は、上記請求項１記載の敷物において、樹脂ペレット６が短管状樹脂ペレットであることを特徴とするものである。
【００１５】
また本願の請求項３の発明に係る敷物は、上記請求項１又は２記載の敷物において、小室５の区画領域（縦横寸法）が１０〜２０ｃｍ×５〜１２ｃｍの矩形領域であることを特徴とするものである。
【００１６】
上記構造の敷物は、各小室５内に樹脂ペレット６が緩く充填されているので、自重によって樹脂ペレットを各小室の一方の側に寄せることによって、樹脂ペレットを入れた後に他方の側の縫合を行うことができる。すなわち、袋体の３辺を縫合し、かつ開放辺に直交する方向の多数の縫合線３を入れて、複数の細長い区画領域９を形成し、開放辺８を上方にして袋体１４を垂直ないし斜めに保持して、各区画領域９への計量された樹脂ペレット６の投入と、各小室５の上辺の縫合とを交互に行うことにより、この発明の敷物を容易に製造することができる。
【００１７】
従って、本願の請求項４の発明に係る敷物の製造方法は、表布１と裏布２とをその両側辺、下辺及び前記側辺に平行な所定間隔を隔てた縫合線３で縫着して多数の区画領域９を形成し、縫着しない上辺８を上方とした状態で各区画領域に所定量の樹脂ペレット６を投入し、各区画領域の下辺から所定高さの位置で前記表布と裏布とを下辺と平行な縫合線４で縫着して当該縫合線の位置を各区画領域９の新たな下辺とし、上記樹脂ペレットの投入と下辺と平行な縫合線での縫着とを繰返し、最後に前記上辺を縫着することを特徴とする、請求項１、２又は３記載の敷物の製造方法である。
【発明の効果】
【００１８】
この発明では、袋体を縦横の縫合線で比較的小面積の小室５に区画し、その小室内に樹脂ペレットを緩く充填しているので、全体を薄く柔軟に作ることができ、樹脂ペレットの使用量も少なく嵩張らないので、家庭用洗濯機で丸洗いすることが可能である。樹脂ペレット６は、緩く充填されているけれども、面積の小さな小室５内に移動が制限されているので、大きく偏在することがなく、水平に敷かれた状態では、重力や体の動きに伴って作用する外力によって偏在したものが元に戻ろうとする力も働き、体に当る部分に樹脂ペレットが存在しなくなるということがない。
【００１９】
このような効果は、小室５の面積を適切に選ぶことと、各小室に適切な量の樹脂ペレット６を封入することで得られる。小室５の面積が小さすぎると、樹脂ペレット６の移動が過度に妨げられて、敷物が体表面の形状に馴染まなくなる。また、小室５の面積が大きすぎると、小室内での樹脂ペレットの偏在によって体を支える部分から樹脂ペレットが排除されてしまうということが起こる。また、封入する樹脂ペレット６の量が多すぎると、体への当りが強くなって快適性に欠け、少なすぎると小室５の面積を大きくした場合と同様に、体に当る部分に樹脂ペレット６が存在しなくなるということが起こる。小室５の寸法、形状及び小室内への樹脂ペレットの封入量は、上記のことを考慮して、敷物の用途に応じて選定する。
【００２０】
この発明によれば、小室５の形状及び面積と各小室に封入する樹脂ペレット６の量とを適切に選ぶことによって、薄く柔軟で体表面の形状に適度に馴染み、樹脂ペレットの使用量が少なく、かつ樹脂ペレットからの刺激によって指圧作用やマッサージ作用が得られ、しかも汚れたときに家庭用洗濯機で簡単に丸洗い可能な、座布団、背当て、敷布団の上敷きなどの敷物を得ることができるという効果がある。
【発明を実施するための最良の形態】
【００２１】
以下、図面を参照してこの発明の実施形態を説明する。図１はこの発明の敷物の斜視図、図２はその一部断面図で、４辺を縫合した表布１と裏布２とがその辺と平行な縦横の縫合線３、４部分で縫合されて、多数の矩形の小室５が形成されており、各小室５内にポリエチレン製の短管状ペレット６が封入されている。小室５は、長さ１２．５ｃｍ×幅８ｃｍの矩形で、総て同一の大きさである。表布１及び裏布２には、布団に使用する標準的な綿布を使用している。
【００２２】
各小室５に封入されている短管状ペレット６の量は、図３に示すのように、小室５の長手方向を上下方向としたときに樹脂ペレット６が重力で下方に偏在して、小室５の上方にその長さの約４割程度の樹脂ペレットが存在しない空間７が生じる程度の量である。
【００２３】
敷物の全体寸法は、座布団として使用するときは５０ｃｍ×５０ｃｍ、車のシートなどに使用する背当てとして用いるときは１ｍ×１ｍ、敷布団の上敷きとして用いるときは１ｍ×２ｍ程度の大きさとする。小室５の寸法は、敷物の全体寸法とは無関係に大略１０〜２０ｃｍ×５〜１２ｃｍの大きさとするのがよく、上記した１２．５ｃｍ×８ｃｍの±２〜２．５ｃｍ前後の矩形形状とするのが最もよい。
【００２４】
上記構造の敷物１０は、図１に示すように、矩形の表布と裏布との周囲３辺と残りの開放辺８に直交する方向の多数の縫合線４とをミシンで縫い、傾斜した案内板１１に開放辺８を上方にして沿わせた状態で、縦方向となる縫合線３で区画された各区画領域９・・・に１個の小室に封入する量の樹脂ペレットを投入する。投入された樹脂ペレットは、図３に示すように、各区画領域９の下部に偏在した状態となるので、この状態で小室５の上辺となる横方向の縫合線４に沿ってミシンがけする。
【００２５】
このような樹脂ペレットの投入と横方向のミシンがけとを交互に行ってやれば、樹脂ペレット６が封入された小室５が斜めに設置した袋体１４の下辺側から順次形成されてゆくので、最後に開放辺８を縫合して図１に示す敷物１０を得る。
【００２６】
上記方法によれば、垂直ないし斜めに懸吊された袋体の所定箇所を水平に縫合するミシン１２と、樹脂ペレットの定量投入装置１３とを設けることにより、この発明の敷物を容易に製造することができる。
【図面の簡単な説明】
【００２７】
【図１】この発明の敷物の斜視図
【図２】図１の敷物の部分断面図
【図３】小室の長手方向を上下方向としたときの小室内での樹脂ペレットの偏在を示す断面図
【図４】この発明の敷物の製造方法を示す説明図
【符号の説明】
【００２８】
１  表布
２  裏布
３  縫合線
４  縫合線
５  小室
６  ペレット
８  開放辺
９  区画領域
【図１】
2006230594.tif 000003
【図２】
2006230594.tif 000004
【図３】
2006230594.tif 000005
【図４】
2006230594.tif 000006